(57)【要約】【課題】原稿台とスキャン機構とコントローラとを備える画像形成装置において、プレビュー画面が小さく確認しづらい、スキャン後にプレビュー画面で、位置、サイズを調整できない。【解決手段】原稿台は、コントローラによって制御される原稿台表示部を有する。スキャン機構は、原稿台の上に載置された原稿の画像を読み取り、読み取った初期画像データをコントローラに伝送することができ、コントローラは、初期画像データに基づく画像データを原稿台表示部に表示させることができる。また、ＬＳＩとして実現されるコントローラは、スキャン機構を制御しスキャン機構から読み取った初期画像データを受信するためのデバイスインターフェースと、初期画像データに基づく画像データを原稿台表示部に表示させるための原稿台表示部インターフェースとを備える。【選択図】図１
2018007008.tif 000002
【特許請求の範囲】
【請求項１】
原稿台と、スキャン機構と、コントローラとを備える画像形成装置であって、
前記原稿台は、前記コントローラによって制御される原稿台表示部を有し、
前記スキャン機構は、前記原稿台の上に載置された原稿の画像を読み取り、読み取った初期画像データを前記コントローラに伝送することが可能であり、
前記コントローラは、前記初期画像データに基づく画像データを前記原稿台表示部に表示させることが可能である、
画像形成装置。
【請求項２】
請求項１において、前記画像形成装置は、プリント機構をさらに備え、
前記コントローラは、前記初期画像データを編集し、編集前の前記初期画像データと編集後の画像データのうちのいずれか一方または両方を、前記原稿台表示部に表示させることが可能であり、
前記コントローラは、編集前の前記初期画像データと前記編集後の画像データのうちのいずれか一方または両方を含む印刷データを形成し、前記印刷データを前記プリント機構により印刷させることが可能である、
画像形成装置。
【請求項３】
請求項２において、
前記コントローラは、前記初期画像データに基づいて前記原稿の種類を判別し、前記判別の結果に従って、前記原稿を載置すべき読み込みガイド領域を示すガイド画面を、前記原稿台表示部に表示させることが可能である、
画像形成装置。
【請求項４】
請求項３において、
前記コントローラは、前記初期画像データを、前記原稿台表示部の前記読み込みガイド領域に表示させることが可能である、
画像形成装置。
【請求項５】
請求項３において、
前記コントローラは、前記原稿台表示部の前記読み込みガイド領域を透明とし、それ以外の領域における光の透過を遮蔽させることが可能である、
画像形成装置。
【請求項６】
請求項１において、前記画像形成装置は、プリント機構とカメラとをさらに備え、
前記カメラは、前記原稿台に前記原稿を載置するユーザの画像を撮像可能であり、
前記コントローラは、前記初期画像データから人物の画像データを抽出して、前記カメラによって撮像された前記ユーザの画像データと照合する、本人認証処理を実行可能であり、
前記コントローラは、前記初期画像データまたはそれに基づく画像データの、前記プリント機構による印刷を禁止し、前記本人認証処理の実行結果に基づいて解除することが可能である、
画像形成装置。
【請求項７】
請求項６において、
前記コントローラは、前記本人認証処理の実行結果に基づいて、印刷の禁止を解除する場合に、
前記初期画像データを編集し、編集前の前記初期画像データと編集後の画像データのうちのいずれか一方または両方を、前記原稿台表示部に表示させることを許可し、
前記初期画像データと前記編集後の画像データのうちのいずれか一方または両方を含む印刷データを形成し、前記印刷データを前記プリント機構により印刷させることを許可する、
画像形成装置。
【請求項８】
請求項７において、
前記コントローラは、前記本人認証処理の実行結果に基づいて、印刷の禁止を解除する場合に、前記初期画像データに基づいて前記原稿の種類を判別し、前記判別の結果に従って、前記原稿を載置すべき読み込みガイド領域を示すガイド画面を、前記原稿台表示部に表示させることを許可する、
画像形成装置。
【請求項９】
原稿台表示部を有する原稿台と、前記原稿台の上に載置された原稿の画像を読み取るスキャン機構とを備える画像形成装置に搭載されるための半導体装置であって、
前記半導体装置は、前記スキャン機構を制御し前記スキャン機構から読み取った初期画像データを受信するためのデバイスインターフェースと、前記初期画像データに基づく画像データを前記原稿台表示部に表示させるための原稿台表示部インターフェースとを備える、
半導体装置。
【請求項１０】
請求項９において、前記画像形成装置はプリント機構をさらに備え、
前記半導体装置は、画像処理回路をさらに備え、
前記画像処理回路は、前記初期画像データを編集して編集後の画像データを形成し、プレビュー画像データと印刷データのうちのいずれか一方または両方を形成することが可能であり、プレビュー画像データと印刷データのそれぞれは、前記初期画像データと前記編集後の画像データのうちのいずれか一方または両方をそれぞれ含み、
前記原稿台表示部インターフェースは、前記原稿台表示部へ前記プレビュー画像データを出力して、前記原稿台表示部に前記プレビュー画像データを表示させるための制御が可能であり、
前記デバイスインターフェースは、前記プリント機構へ前記印刷データを出力して、前記プリント機構に前記印刷データを印刷させるための制御が可能である、
半導体装置。
【請求項１１】
請求項１０において、
前記半導体装置は、原稿種類判別回路をさらに備え、
前記原稿種類判別回路は、前記初期画像データに基づいて前記原稿の種類を判別することが可能であり、
前記原稿台表示部インターフェースは、前記判別の結果に従って、前記原稿を載置すべき読み込みガイド領域を示すガイド画面を、前記原稿台表示部に表示させるための制御が可能である、
半導体装置。
【請求項１２】
請求項１１において、
前記原稿台表示部インターフェースは、前記初期画像データを、前記原稿台表示部の前記読み込みガイド領域に表示させるための制御が可能である、
半導体装置。
【請求項１３】
請求項１１において、
前記原稿台表示部インターフェースは、前記原稿台表示部の前記読み込みガイド領域を透明とし、それ以外の領域における光の透過を遮蔽させるための制御が可能である、
半導体装置。
【請求項１４】
請求項９において、前記画像形成装置は、プリント機構と前記原稿台に前記原稿を載置するユーザの画像を撮像可能なカメラとをさらに備え、
前記半導体装置は、画像処理回路をさらに備え、
前記画像処理回路は、前記初期画像データから人物の画像データを抽出して、前記カメラによって撮像された前記ユーザの画像データと照合する、本人認証処理を実行可能であり、
前記デバイスインターフェースは、前記プリント機構に印刷データを印刷させるための制御が可能であり、
前記画像処理回路は、前記初期画像データまたはそれに基づく画像データの、前記プリント機構による印刷を禁止し、前記本人認証処理の実行結果に基づいて解除することが可能である、
半導体装置。
【請求項１５】
請求項１４において、
前記画像処理回路は、前記本人認証処理の実行結果に基づいて、印刷の禁止を解除する場合に、
前記初期画像データを編集し、編集前の前記初期画像データと編集後の画像データのうちのいずれか一方または両方を、前記原稿台表示部に表示させることを許可し、
前記初期画像データと前記編集後の画像データのうちのいずれか一方または両方を含む印刷データを形成し、前記デバイスインターフェースに対して、前記印刷データを前記プリント機構により印刷させることを許可する、
半導体装置。
【請求項１６】
請求項１５において、
前記画像処理回路は、前記本人認証処理の実行結果に基づいて、印刷の禁止を解除する場合に、前記初期画像データに基づいて前記原稿の種類を判別し、前記判別の結果に従って、前記原稿台表示部インターフェースに対して、前記原稿を載置すべき読み込みガイド領域を示すガイド画面を、前記原稿台表示部に表示させることを許可する、
半導体装置。
【発明の詳細な説明】
【技術分野】
【０００１】
本発明は、画像形成装置および半導体装置に関し、特にスキャンした画像を印刷する等の画像形成機能を有する画像形成装置、およびそれを制御するための半導体装置に好適に利用できるものである。
【背景技術】
【０００２】
コピー、スキャナ及びプリンタ等の機能を併せ持つ複合機に代表される画像形成装置では、高機能化と合せてユーザの操作性を向上するための種々の工夫が提案されてきている。
【０００３】
特許文献１には、原稿の種類を指定することによって、ユーザが設定すべき項目を簡略化して操作性を向上する画像形成装置が開示されている。同文献の図１には、画像形成装置のシステムブロック図の記載がある。免許証等の特定の複数原稿面から１つの画像を形成、印刷する際、簡単な操作で、好適な位置に、画像を形成する事ができる。具体的には、同文献の図３に示すように、原稿の縦並びまたは横並びの指定する画面や、同文献の図１０に示すようにプレビュー画面を表示させる事ができる。
【０００４】
特許文献２には、原稿台カバーを不要として、原稿台カバーの開閉動作を不要とし、外界から装置内部に入射する外界光を遮蔽し、装置内部から照射される走査光線が外界に漏れて出射するのを遮蔽する、画像読み取り装置が示されている。原稿台に液晶層を設け、小領域ごとに、遮蔽状態と透過状態を制御する。
【先行技術文献】
【特許文献】
【０００５】
【特許文献１】特開２００９−１００１０２号公報
【特許文献２】特開２００４−１９１４４７号公報
【発明の概要】
【発明が解決しようとする課題】
【０００６】
特許文献１及び２について本発明者が検討した結果、以下のような新たな課題があることがわかった。
【０００７】
特許文献１には、同文献に開示される画像形成装置によって、免許証等の特定の複数原稿面から１つの画像を形成・コピーする際に、簡単な操作で画像を形成できることが示されている。しかし、プレビュー画面が小さく確認しづらい、スキャン後にプレビュー画面で、位置、サイズ等を調整できないという課題があった。
【０００８】
また、特許文献２において指摘されている、原稿台カバーを閉じる際に生じる風圧等によって、原稿がずれやすいという課題は、同文献に開示される発明を特許文献１に開示される発明に適用することによって、解決することができると期待される。しかしながら、上述の、プレビュー画面が小さく確認しづらい、スキャン後にプレビュー画面で、位置、サイズを調整できないという課題は、依然として解決することができない。
【０００９】
このような課題を解決するための手段を以下に説明するが、その他の課題と新規な特徴は、本明細書の記述及び添付図面から明らかになるであろう。
【課題を解決するための手段】
【００１０】
一実施の形態によれば、下記の通りである。
【００１１】
すなわち、原稿台とスキャン機構とコントローラとを備える画像形成装置であって、以下のように構成される。原稿台は、コントローラによって制御される原稿台表示部を有する。スキャン機構は、原稿台の上に載置された原稿の画像を読み取り、読み取った初期画像データをコントローラに伝送することができ、コントローラは、初期画像データに基づく画像データを原稿台表示部に表示させることができる。
【００１２】
また、前記コントローラは、半導体装置として構成することができる。前記半導体装置は、スキャン機構を制御しスキャン機構から読み取った初期画像データを受信するためのデバイスインターフェースと、初期画像データに基づく画像データを原稿台表示部に表示させるための原稿台表示部インターフェースとを備える。
【発明の効果】
【００１３】
前記一実施の形態によって得られる効果を簡単に説明すれば下記のとおりである。
【００１４】
すなわち、原稿台と同じ面積とすることが可能な原稿台表示部に、スキャナに読み取った画像データを表示させることができるので、原寸大を含む任意の大きさで、プレビュー画像を表示することができる。
【図面の簡単な説明】
【００１５】
【図１】図１は、実施形態１に係る画像形成装置及び半導体装置の構成例を示すブロック図である。
【図２】図２は、実施形態１に係る画像形成装置の一例である複写機上部の斜視図である。
【図３】図３は、原稿の表面を読み取るためのガイド画面の、原稿台表示部への表示例である。
【図４】図４は、原稿の表面を表示したプレビュー画面と、原稿の裏面を読み取るためのガイド画面の、原稿台表示部への表示例である。
【図５】図５は、原稿の表面と裏面を表示したプレビュー画面の、原稿台表示部への表示例である。
【図６】図６は、原稿の表面と裏面のサイズ及び位置を調整した後のプレビュー画面の、原稿台表示部への表示例である。
【図７】図７は、図６の画像を印刷したイメージ図である。
【図８】図８は、実施形態１に係る画像形成装置の動作例を示すフローチャートである。
【図９】図９は、実施形態２に係る画像形成装置の動作例を示すフローチャートである。
【発明を実施するための形態】
【００１６】
実施の形態について詳述する。なお、発明を実施するための形態を説明するための全図において、同一の機能を有する要素には同一の符号を付して、その繰り返しの説明を省略する。
【００１７】
〔実施形態１〕
図１は、本実施形態１に係る画像形成装置２００の構成例を示すブロック図である。図中の配線は、それぞれ任意の本数の信号線で実装されるが、図１では１本か複数本かの区別はせず、所謂ベクトル表記は省略されている。
【００１８】
画像形成装置２００は例えば複写機であり、図２はその上部の斜視図である。複写機２００は、本体２０２、操作部１２１、原稿台２０１、原稿台カバー２０３及び排紙トレー２０４を備える。複写機２００は、例えば操作部１２１にユーザを撮像することができるカメラ１２３を、さらに備えることができる。その作用については実施形態２で説明する。
【００１９】
原稿台表示部１２２は、例えば特許文献２と同様に、原稿台２０１を構成する透明板（例えばガラス板）の下に液晶セルを配置して構成することができ、スキャナ１２４を動作させる時には、透過率を最大（透明）に制御することによってスキャン対象領域とし、それ以外の領域は透過率を最小に制御して遮光することができる。本実施形態１（実施形態２でも同様）では、液晶セルを例えばアクティブマトリックス方式とすることにより、液晶セルごとの透過率（偏光）を制御して階調表示を行い、透過型液晶表示パネルとして構成する。
【００２０】
画像形成装置２００は、原稿台２０１と、スキャン機構であるスキャナ１２４と、コントローラ１００とを備える。原稿台２０１は、コントローラ１００によって制御される原稿台表示部１２２を有する。スキャナ１２４は、原稿台２０１の上に載置された原稿の画像を読み取り、読み取った初期画像データをコントローラ１００に伝送する。コントローラ１００は、スキャナ１２４によって読み取られた初期画像データに基づく画像データを、原稿台表示部１２２に表示させることができるように構成されている。
【００２１】
コントローラ１００は、例えばＳｏＣ（System On a Chip）のＬＳＩ（Large Scale Integrated circuit）として実現される半導体装置である。コントローラ１００は、スキャナ１２４を制御しスキャナ１２４から読み取った初期画像データを受信するためのデバイスインターフェース１０８と、初期画像データに基づく画像データを原稿台表示部１２２に表示させるための原稿台表示部インターフェース１０７とを備える。
【００２２】
これにより、原稿台２０１と同じ面積とすることが可能な原稿台表示部１２２に、スキャナ１２４で読み取った画像データを表示させることができるので、原寸大を含む任意の大きさで、プレビュー画像を表示することができる。
【００２３】
画像形成装置２００は、図２の複写機のプリント機構であるプリンタ１２５を備えており、コントローラ１００は、スキャナ１２４によって読み取られた初期画像データを編集し、編集前の初期画像データと編集後の画像データのうちのいずれか一方または両方を、原稿台表示部１２２に表示させることができる。また、コントローラ１００は、編集前の初期画像データと編集後の画像データのうちのいずれか一方または両方を含む印刷データを形成して、プリンタ１２５により印刷させることができる。
【００２４】
この機能を実現するために、コントローラ１００は、画像処理回路１１０を備える。画像処理回路１１０は、初期画像データを編集して編集後の画像データを形成し、プレビュー画像データと印刷データのうちのいずれか一方または両方を形成することができる。プレビュー画像データと印刷データのそれぞれは、初期画像データと編集後の画像データのうちのいずれか一方または両方をそれぞれ含む。原稿台表示部インターフェース１０７は、原稿台表示部１２２へプレビュー画像データを出力して、原稿台表示部１２２にプレビュー画像データを表示させるための制御を行う。デバイスインターフェース１０８は、プリンタ１２５へ印刷データを出力して印刷させるための制御を行う。
【００２５】
これにより、スキャナ１２４によって読み取った画像データを、コントローラ１００により原稿台表示部１２２にプレビュー表示し、コントローラ１００を使ってさらにその画像の位置やサイズを調整する編集を行なうことができる。
【００２６】
コントローラ１００は、スキャナ１２４によって読み取られた初期画像データに基づいて、その原稿の種類を判別することが可能な、原稿種類判別回路１０９をさらに備えると好適である。原稿台表示部インターフェース１０７は、原稿種類判別回路１０９による判別の結果に従って、原稿を載置すべき読み込みガイド領域を示すガイド画面を、原稿台表示部１２２に表示させるための制御を行う。
【００２７】
これにより、スキャナ１２４によって原稿を読み取るときに、原稿を適切な場所にセットできるように、ユーザにガイドすることができる。
【００２８】
このとき、原稿台表示部インターフェース１０７は、初期画像データを、原稿台表示部１２２の上記読み込みガイド領域に表示させることができる。
【００２９】
これにより、スキャナ１２４によって原稿を読み取った原稿の画像データを、原寸大で読み込みガイド領域にプレビュー表示させることができる。
【００３０】
また、原稿台表示部インターフェース１０７は、原稿台表示部１２２の上記読み込みガイド領域を透明とし、それ以外の領域における光の透過を遮蔽させる。
【００３１】
これにより、スキャナ１２４によって読み取りガイド領域の原稿を読み取るときに、読み取りガイド領域以外の領域が原稿台カバー２０３に代わって原稿台表示部１２２によって遮蔽され、スキャン時の光の漏れを抑えることができる。
【００３２】
本実施形態１に係る画像形成装置２００及びＬＳＩチップとして構成されるコントローラ１００の構成と動作について、さらに詳しく説明する。
【００３３】
図１に示すのは、画像形成装置２００及びコントローラ１００の一構成例である。画像形成装置２００は、コントローラ１００、操作部１２１、原稿台表示部１２２、カメラ１２３、スキャナ１２４、プリンタ１２５及びＨＤＤ（Hard Disk Drive）１２６を備える。
【００３４】
操作部１２１は、画像形成装置２００が図２に示すような複写機である場合に、ユーザが操作するコンソールであって、例えば小型液晶表示タッチパネルを備えて、メニュー表示、プレビュー表示、ヘルプ表示、エラー表示等、及び、コピー指示、スキャン指示、各種設定等の操作を可能とされる。操作部１２１は、操作するユーザを撮影するカメラ１２３を備えるとさらに好適であるが、このような実施の形態については、実施形態２で詳しく説明する。
【００３５】
原稿台表示部１２２は、例えば上述したように、原稿台２０１を構成する透明板（例えばガラス板）の下に液晶セルを配置して構成される透過型液晶表示パネルであり、画像や文字を表示することができる。原稿台２０１と同じ大きさとされ、または、原稿台２０１の一部の領域に形成されてもよい。スキャナ１２４とプリンタ１２５は、画像形成装置２００が複写機として備える画像入力デバイスと画像出力デバイスである。ＨＤＤ１２６は、コントローラ１００に供給するソフトウェア及びスキャナ１２４で読み取った画像の画像情報等のデータを記憶する。また、コントローラ１００はＬＡＮ１２０に接続することができる。
【００３６】
コントローラ１００は、特に制限されないがシステムオンチップ（ＳｏＣ：System on a Chip）のＬＳＩとして実現され、例えば、公知のＣＭＯＳ（Complementary Metal-Oxide-Semiconductor field effect transistor）半導体の製造技術を用いて、シリコンなどの単一基板上に形成される。コントローラ１００は、ＣＰＵ（Central Processing Unit）１０１、ＲＡＭ（Random Access Memory）１０２、ＲＯＭ（Read Only Memory）１０３、ＨＤＤインターフェース１０４及びネットワークインターフェース１０５を備える。コントローラ１００は、さらに、操作部インターフェース１０６、原稿台表示部インターフェース１０７、デバイスインターフェース１０８、原稿種類判別回路１０９及び画像処理回路１１０を備える。コントローラ１００では、以上の各ユニットがシステムバス１１１に接続されている。なお、ＲＡＭ１０２、ＲＯＭ１０３及び外付けされるＨＤＤ１２６などで構成されるストレージは階層化されていても良く、また、システムバス１１１もこれに伴って或いはストレージの階層化とは無関係に階層化されていてもよい。
【００３７】
ＣＰＵ１０１はシステム全体を制御する中央制御ユニットである。ＲＡＭ１０２はＣＰＵ１０１が動作するためのシステムワークメモリであり、コントローラ１００を制御するシステムソフトウェアの実行、および画像データを一時記憶するための画像メモリでもある。ＲＯＭ１０３はブートＲＯＭであり、システムのブートプログラムが格納されている。ＨＤＤインターフェース１０４を介して外付けされるＨＤＤ１２６は、ハードディスクドライブで、システムソフトウェア及び画像データを格納する。
【００３８】
操作部インターフェース１０６は操作部１２１とのインターフェース部で、操作部１２１に表示する画像データを操作部１２１に対して出力する。また、操作部１２１から本システムのユーザが入力した情報を、ＣＰＵ１０１に伝える役割をする。操作部１２１は、表示タッチパネルを有した操作ユニットであり、表示タッチパネルの他に、処理の開始を指示するスタートキーや、電話番号や数値を入力するためのハードキーが設けられている。ユーザは操作部１２１を介し、本画像形成装置２００を操作するための各種情報入力を行う。
【００３９】
原稿台表示部インターフェース１０７は、原稿台表示部１２２とのインターフェース部で、原稿台表示部１２２に表示する画像データを原稿台表示部１２２へ出力する。また、原稿台表示部１２２から本システムのユーザが入力した情報を、ＣＰＵ１０１に伝える役割をする。原稿台表示部１２２は、タッチパネルを有した透過型液晶パネルを用い、タッチパネル操作ができるようになっている。原稿台表示部１２２に、液晶パネルを用いる技術は、一例だが、参考文献２の内容で実現できる。原稿台表示部１２２には、コピーのプレビュー画面を原寸大で表示できるようになっており、ユーザは、原稿台表示部１２２を介して、プレビュー画面で、表示タッチパネル操作により、原稿画像のサイズ、位置等の調整ができる。なお、原稿台表示部１２２と操作部１２１の表示画像はリアルタイムで同期させても良く、原稿台表示部１２２の画面が見にくい、車椅子利用者等は、操作部１２１で画面操作を行なうことができる。
【００４０】
ネットワークインターフェース１０５はＬＡＮ１２０に接続され、情報の入出力を行なう。ネットワークの一例としてＬＡＮを記載しているが、ＷｉＦｉ等の無線ネットワークでも良い。
【００４１】
デバイスインターフェース部１０８は、カメラ１２３やスキャナ１２４、プリンタ１２５とコントローラ部１００を接続し、画像データの同期／非同期のタイミングの変換を行う。画像処理回路１１０は、スキャナ入力画像データに対し、補正、加工等を行い、プリント出力画像データに対して、プリンタの補正、解像度変換等を行う。原稿種類判別回路１０９では、スキャナ１２４から読み込まれた原稿の画像データに対し、特徴抽出などによる画像認識を行い、免許証、パスポート等、原稿の種類を判別する。
【００４２】
なお、画像処理回路１１０と原稿種類判別回路１０９は、図１に例示されるようなハードウェアによる実装に代えて、その一部または全部をＣＰＵ１０１上で動作するプログラムの機能として実現されても良い。
【００４３】
コントローラ１００の動作について説明する。
【００４４】
コントローラ１００の電源がオンになると、ＣＰＵ１０１は、ＲＯＭ１０３に格納されるブートプログラムをＲＡＭ１０２にロードして、起動シーケンスを実行する。ＣＰＵ１０１は起動シーケンスに従い、ＨＤＤ１２６からシステムソフトウェアをＲＡＭ１０２にロードし、システムソフトウェアを実行することで、画像形成装置２００を利用可能な状態にする。実行されたシステムソフトウェアは、ＨＤＤ１２６に格納された画面構成情報を読み出し、操作部インターフェース１０６を介して操作部１２１の表示タッチパネル上に操作画面を構築する。ユーザが操作部１２１を操作しコピーを指示した場合、システムソフトウェアはデバイスインターフェース１０８を介してスキャナ１２４及びプリンタ１２５を制御し、原稿のコピー処理を行なう。スキャナ１２４から読み込まれた画像は、システムバス１１１を介して画像処理回路１１０に転送される。画像処理回路１１０では、所定の画像処理を行ない、システムバス１１１を介してプリンタ１２５に転送し、所定の用紙上に画像を転写することでコピー動作を行なう。ユーザが操作部１２１を操作しスキャンを指示した場合、システムソフトウェアはデバイスインターフェース１０８を介して、スキャナ１２４を制御し、原稿の読み込み処理を行なう。スキャナ１２４から読み込まれた画像は、システムバス１１１を介して画像処理回路１１０に転送される。画像処理回路１１０では、所定の画像処理を行ない、データをシステムバス１１１を介してＲＡＭ１０２に転送し、ＨＤＤ１２６の所定の画像格納場所に画像データを格納する。続いて、システムソフトウェアは、デバイスインターフェース１０８を介して、プリンタ１２５を制御し、印刷動作を行う。システムバス１１１を介して、ＲＡＭ１０２やＨＤＤ１２６に格納された画像データを、画像処理回路１１０へ転送する。画像処理回路１１０で所定の画像処理を行った後、システムバス１１１、デバイスインターフェース１０８を介して、プリンタ１２５へ画像処理後のデータを転送する。
【００４５】
操作部１２１の代わりに、原稿台表示部１２２を使用して、コピー指示、スキャン指示した場合も同様の動作となる。
【００４６】
画像形成装置２００が図２に示すような複写機である場合の全体構成について説明する。
【００４７】
図２は、複写機上部の斜視図である。複写機２００は、操作部１２１、原稿台２０１、原稿台表示部１２２、複写機本体２０２、原稿台カバー２０３、排紙トレー２０４を有する。原稿台２０１には通常ガラス板が使用されるが、タッチパネルを有した透過型液晶を有する原稿台表示部１２２を積層するか、または、ガラス板を置換する。ユーザは、原稿台表示部１２２を有する原稿台２０１に免許証等の原稿を置いてスキャン／コピーさせるが、このときに、原稿台表示部１２２に免許証等をスキャン／コピーする際のガイド画面を表示させたりする事ができる。
【００４８】
画像形成装置２００及びコントローラ１００の動作についてさらに詳しく説明する。
【００４９】
図８は、本実施形態１に係る画像形成装置２００及びコントローラ１００の動作例を示すフローチャートである。一例として、原稿を原稿台２０１に置いた後、印刷するまでの動作について説明する。
【００５０】
ステップＳ１０１は、原稿台２０１に置かれた原稿をスキャナ１２４で読み込み、原稿種類判別回路１０９で、読み込まれた画像データに対して画像認識処理を行なって、原稿の種類を判別するステップである。原稿の種類としては、免許証、パスポート等が考えられる。原稿の種類が判別されると、ステップＳ１０２に進む。ここでは原稿が免許証である場合について説明する。
【００５１】
ステップＳ１０２は、表（おもて）面読み込みガイドの情報をＨＤＤ１２６から読み出し、原稿台表示部インターフェース１０７を介して、原稿台表示部１２２に表示するステップである。
【００５２】
図３は、原稿の表面を読み取るためのガイド画面の、原稿台表示部１２２への表示例である。原稿台２０１のガラス面全面に原稿台表示部１２２が形成されており、その領域にはマトリックス状に液晶セルが配置され、個々にその透過率を調整することができるように構成されている。透過率を最大にした状態を「透明」と表現し、最小にした状態を「遮蔽」または「黒色」等と表現とし、その間の値を取り得るときに「階調表示」等と表現する。原稿台表示部１２２には、原稿である免許証の表面をスキャンするために、免許証と同じかマージンを加えたサイズの読み込みガイド領域３０１が表示される。さらにインストラクション表示領域３０３に、ユーザに期待する操作を促すインストラクションが表示され、指示内容を示すＯＫボタン３０４＿１とキャンセルボタン３０４＿２が表示される。さらに、印刷時の用紙の位置とサイズを示す印刷用紙領域３００が表示されてもよい。なお、実際にスキャンを実行する時には、読み込みガイド領域３０１は透明に制御され、それ以外の領域は遮蔽される。
【００５３】
図３に例示されるガイド画面が表示されると、ユーザは、表示されるインストラクションに従って、原稿である免許証を読み込みガイド領域３０１内に収まるようにセットし、スキャンの準備が完了したらＯＫボタン３０４＿１を押し、スキャンを行わない場合はキャンセルボタン３０４＿２を押す。
【００５４】
図８の説明に戻る。
【００５５】
ステップＳ１０３は、図３で押されたボタンを判定するステップである。ＯＫボタン３０４＿１が押された場合は、ステップＳ１０４に進み、キャンセルボタン３０４＿２が押された場合は、ステップＳ１１６に進み、画像廃棄処理後、本フローチャートを終了する。
【００５６】
ステップＳ１０４は、免許証の表面を読み込むステップである。本ステップでは、デバイスインターフェース１０８を介して、スキャナ１２４を操作し、図３の読み込みガイド領域３０１に合わせた表面画像を読み込み、システムバス１１１を経由して、画像処理回路１１０に画像を転送する。画像処理回路１１０で、所定の画像処理を行ったあと、表面画像は、システムバス１１１を経由して、ＲＡＭ１０２に格納される。
【００５７】
ステップＳ１０５は、裏面読み込みガイドの情報をＨＤＤ１２６から読み出し、原稿台表示部インターフェース１０７を介して、原稿台表示部１２２に表示するステップである。同時に、表面画像は、システムバス１１１を介して、ステップＳ１０４で格納したＲＡＭ１０２から読み出され、プレビュー画面として表示される。
【００５８】
図４は、原稿の表面を表示したプレビュー画面と、原稿の裏面を読み取るためのガイド画面の、原稿台表示部１２２への表示例である。本実施形態では印刷する用紙のサイズをＡ４として説明する。Ａ４サイズの印刷用紙領域３００は破線で示されるように表示される。印刷用紙領域３００の上半分中央には、原稿の表面のための読み込みガイド領域３０１に代わって、表面画像のプレビュー画像３０２が表示され、下半分中央には、原稿の裏面のための読み込みガイド領域３０１が表示される。インストラクション表示領域３０３には、ユーザに対して原稿である免許証を読み込みガイド領域３０１に裏面を下にしてセットするように促すインストラクションが表示される。また、ＯＫボタン３０４＿１、スキップボタン３０４＿３、キャンセルボタン３０４＿２が表示される。
【００５９】
図４に例示されるガイド画面が表示されると、ユーザは、表示されるインストラクションに従って、原稿である免許証を、裏面を下にして読み込みガイド領域３０１内に収まるようにセットし、スキャンの準備が完了したらＯＫボタン３０４＿１を押す。または、ユーザは、裏面のスキャンを行わない場合は、スキップボタン３０４＿３、既に読み込んだ表面を含めて原稿の読み取りキャンセルする場合は、キャンセルボタン３０４＿２を押す。
【００６０】
図８の説明に戻る。
【００６１】
ステップＳ１０６は、ユーザが、ステップＳ１０５で原稿台表示部１２２に表示された免許証表面画像の、位置、方向、サイズ等の調整を行うステップである。原稿台表示部１２２のタッチパネルを有した液晶パネル上で、原寸大の出来上がりをイメージしながら、指、タッチペン等の、タッチ操作で、位置、サイズ等の調整を行う。タッチ操作が所定の時間行われなければ、ステップＳ１０７へ進む。その所定の時間は、プリンタメーカやユーザが自由に設定できる事とする。
【００６２】
ステップＳ１０７は、ステップＳ１０６で行った位置等の調整後のデータを、システムバス１１１を介して、ＲＡＭ１０２の所定の領域に格納するステップである。
【００６３】
ステップＳ１０８は、図４で押されたボタンを判定するステップである。ＯＫボタン３０４＿１が押された場合は、Ｓ１０９に進む。スキップボタン３０４＿２が押された場合は、ステップＳ１１２へ進む。キャンセルボタン３０４＿３が押された場合は、ステップＳ１１６に進み、画像廃棄処理後、本フローチャートを終了する。
【００６４】
ステップＳ１０９は、免許証の裏面を読み込むステップである。本ステップでは、デバイスインターフェース１０８を介してスキャナ１２４を操作し、図４に例示するように、Ａ４サイズの印刷用紙領域３００の下半分中央の読み込みガイド領域３０１にセットされた免許証の裏面画像を読み込み、システムバス１１１を経由して、画像処理回路１１０に画像を転送する。画像処理回路１１０で、所定の画像処理を行ったあと、裏面画像は、システムバス１１１を介して、ＲＡＭ１０２に格納される。
【００６５】
ステップＳ１１０は、ステップＳ１０７で格納した表面データと、ステップＳ１０９で格納した裏面データを、システムバス１１１を介して、ＲＡＭ１０２から読み出し、表面と裏面のプレビュー画面を原稿台表示部１２２へ表示するステップである。原稿台表示部１２２へ表示される表示例を、図５に示す。Ａ４サイズの印刷用紙領域３００の上半分中央に表面のプレビュー画像３０２＿１が、下半分中央に裏面のプレビュー画像３０２＿２が表示される。インストラクション表示領域３０３には、ユーザに対してプレビュー画像３０２＿１と３０２＿２の位置、方向、サイズ等を調整するように促すインストラクションが表示される。また、ＯＫボタン３０４＿１、キャンセルボタン３０４＿２が表示される。
【００６６】
ステップＳ１１１は、ユーザが、ステップＳ１１０で原稿台表示部１２２に表示された免許証の表裏面画像の、位置、方向、サイズ等の調整を行うステップである。原稿台表示部１２２のタッチパネルを有した液晶パネル上で、原寸大の出来上がりをイメージしながら、指、タッチペン等の、タッチ操作で、位置、方向、サイズ等の調整を行う。調整後の画像は、タッチ動作に同期して、プレビュー画面に反映される。図６は、表面画像３０２＿１、裏面画像３０２＿２をそれぞれ拡大し、Ａ４サイズの上下で２分割した際の中央線に対し、表面画像３０２＿３をＡ４上半分の中央線寄り、裏面画像３０２＿４をＡ４下半分の中央線寄りに位置調整された後のプレビュー画面である。タッチ動作が所定の時間行われなければ、ステップＳ１１２へ進む。
【００６７】
ステップＳ１１２は、ステップＳ１１１で位置等を調整された表面・裏面画像データから、１つの画像を形成するステップである。図７は、図６のプレビュー画面を画像形成した後の印刷イメージである。
【００６８】
ステップＳ１１３は、図６で押されたボタンを判定するステップである。ＯＫボタン３０４＿１が押された場合は、Ｓ１１４に進む。キャンセルボタン３０４＿２が押された場合は、Ｓ１１６に進み、画像廃棄処理後、本フローチャートを終了する。
【００６９】
ステップＳ１１４は、ステップＳ１１２で形成された画像を、システムバス１１１を介して、ＲＡＭ１０２上の所定の領域に格納ステップである。
【００７０】
ステップＳ１１５は、Ｓ１１４でＲＡＭ１０２に格納された画像を印刷するステップである。システムバス１１１を介して、Ｓ１１４でＲＡＭ１０２に格納された画像を、画像処理回路１１０へ転送する。所定の画像処理を行ったあと、システムバス１１１、デバイスインターフェース１０８を介して、プリンタ１２５を操作し、印刷を行う。
【００７１】
Ｓ１１６は、ステップＳ１１４までに形成された画像を、ＲＡＭ１０２等から消去するステップであり、本ステップ終了後に本フローチャートを終了する。
【００７２】
以上説明したように、原稿種類判別部１０９を設けることで、コピー操作開始前に、手動で「免許証モード」等によって原稿の種類を画像形成装置（複写機）２００に設定する必要がなくなる。領域毎の透過率をセル毎に調整することで透過型液晶表示が可能なパネル原稿台表示部１２２を原稿台２０１に備えることで、印刷イメージを原寸大で表示する事ができ、印刷後のイメージをしやすくなり、印刷ミスを低減することができる。原稿台表示部１２２に、タッチパネルを付加することで、プレビュー画面表示後に、免許証の位置、サイズ、方向等の調整も、免許証画像を読込んだ後に可能となる。即ち、コピー操作を開始する前に設定しておく必要がなくなる。
【００７３】
〔実施形態２〕
本実施形態２は、免許証等の身分証明書の不正コピーやなりすましコピーを防止するため、上述の実施形態１に対して、コピー動作をロックする機能を追加したものである。
【００７４】
即ち、画像形成装置２００に原稿台１２２に原稿をセットするユーザの画像を撮像可能なカメラ１２３をさらに備える。コントローラ１００は、カメラ１２３によって撮像されたユーザの画像データを使って、本人認証処理を実行することができるように構成されている。例えば免許証表面のように顔写真を含む原稿を読み取った初期画像データから人物の画像データを抽出して、カメラ１２３によって撮像されたユーザの画像データと照合することにより、本人認証処理を実行する。コントローラ１００は、初期画像データを取り込んだ時点では、その画像データまたはそれに基づく画像データの印刷を禁止し、上記の本人認証処理を実行した結果、本人であることが認証したときに解除する。
【００７５】
これにより、スキャナによって読み取った画像データを、本人以外の人物が印刷することを禁止することができ、不正なコピーを防止することができる。
【００７６】
なお、初期画像データを取り込んだ時点では、印刷に加えてＬＡＮを介した外部への出力も合わせて禁止され、本人認証処理を実行した結果、本人であることが認証されたときに解除されるように構成してもよい。
【００７７】
図１は、本実施形態２に係る画像形成装置２００の構成例を示すブロック図でもあり、画像形成装置２００は例えば複写機であり、図２はその上部の斜視図である。複写機２００は、実施形態１と同様に、本体２０２、操作部１２１、原稿台２０１、原稿台カバー２０３及び排紙トレー２０４を備え、さらに、例えば操作部１２１にユーザを撮像することができるカメラ１２３を備える。カメラ１２３は、図１に示すように、コントローラ１００に接続され、デバイスインターフェース１０８によって制御される。また、カメラ１２３で撮影された画像データは、デバイスインターフェース１０８とシステムバス１１１を介して、ＲＡＭ１０２等に転送することができ、ＣＰＵ１０１等によって利用可能とされる。他の構成と動作は、実施形態１と同様であるので、説明を省略する。
【００７８】
本実施形態２に特徴的な動作について説明する。
【００７９】
図９は、本実施形態２に係る画像形成装置２００の動作例を示すフローチャートである。
【００８０】
ステップＳ１０１からステップＳ１０４までは、図８に示した実施形態１のフローと同じであるため、説明は省略する。ステップＳ１０４で、表面読み込み処理が完了した後、自動的に、ステップＳ２０１へ進む。
【００８１】
ステップＳ２０１は、印刷動作をロック（禁止）するステップであり、印刷動作を受け付けないものとする。例えば、プリンタ１２５の機能を無効にすれば良い。
【００８２】
ステップ２０２は、画像形成装置２００を操作しているユーザが、免許証の所持者本人である事を認証するステップである。本実施形態では、カメラ１２３によりユーザの顔写真を撮影し、カメラ１２３の顔画像が、Ｓ１０４で読み込んだ免許証表面の画像と一致するかの画像認識を行う事とする。画像認識の機能は、ハードウェアとしてブロック（図１には図示なし）を追加しても良いし、ＣＰＵ１０１を使用してソフトウェア処理で実現してもよい。
【００８３】
カメラによる画像認識以外の方法としては、原稿台表示部１２２に、マイナンバーを入力する画面を表示させ、ユーザがマイナンバー等の個人番号を入力するようにしても良い。免許証番号は、免許証表面の取り込み画像から画像認識により抽出し、免許証番号とマイナンバーの一致を確認するために、免許証番号とマイナンバーを管理している、ＬＡＮ１２０に接続されたセキュリティサーバー等（図示なし）を利用する。さらに、本人認証には、カメラによる画像認識の方法とマイナンバー等の個人番号入力による方法を併用しても良い。
【００８４】
ステップＳ２０３は、ユーザが免許証の本人であることを認証できたかを判定するステップである。本人認証に成功した場合、ステップＳ１０５へ進む。本人認証に失敗した場合は、ステップＳ２０４へ進む。
【００８５】
ステップＳ２０４は、本人認証に失敗した回数を判定するステップである。所定の回数Ｎ回、本人認証に失敗した場合は、ユーザが不正コピーをしていると判断し、ステップＳ１１６へ進む。認証失敗の回数がＮ−１回以下であれば、カメラ１２３による画像認識の失敗や、マイナンバー入力ミスと判断し、ステップＳ２０２へ進み、再度本人認証処理（Ｓ２０２）を行う。
【００８６】
ステップＳ１０５からステップＳ１１４までは実施形態１と同じであるため、説明は省略する。ステップＳ２０５は、Ｓ２０３で本人認証に成功しているため、印刷操作のロックを解除するステップである。例えば、プリンタ１２５の機能を有効にし、本ステップ完了後はステップＳ１１５に進み、印刷を行う。
【００８７】
以上説明したように、コピーロック処理、コピーロック解除機能を設ける事で、免許証本人以外の不正コピーやなりすましコピーを防止する事ができる。本人認証機能として、カメラ撮影による画像認識機能やマイナンバー入力を用いることで、精度の高い本人認証ができ、不正コピー等を防止する事ができる。
【００８８】
以上本発明者によってなされた発明を実施形態に基づいて具体的に説明したが、本発明はそれに限定されるものではなく、その要旨を逸脱しない範囲において種々変更可能であることは言うまでもない。
【符号の説明】
【００８９】
１００  コントローラ（半導体装置）
１０１  ＣＰＵ（Central Processing Unit）
１０２  ＲＡＭ（Random Access Memory）
１０３  ＲＯＭ（Read Only Memory）
１０４  ＨＤＤ Ｉ／Ｆ（Hard Disk Drive Interface）
１０５  ネットワークＩ／Ｆ（Network Interface）
１０６  操作部Ｉ／Ｆ（Console Interface）
１０７  原稿台表示部Ｉ／Ｆ
１０８  デバイスＩ／Ｆ
１０９  原稿種類判別回路
１１０  画像処理回路
１１１  システムバス
１２０  ＬＡＮ（Local Area Network）
１２１  操作部
１２２  原稿台表示部
１２３  カメラ
１２４  スキャナ
１２５  プリンタ
１２６  ＨＤＤ（Hard Disk Drive）
２００  画像形成装置（複写機）
２０１  原稿台
２０２  本体
２０３  原稿台カバー
２０４  排紙トレー
３００  印刷用紙領域
３０１  読み込みガイド領域
３０２  プレビュー表示
３０２＿１、３０２＿２  位置、方向、サイズ等を調整（編集）される前のプレビュー表示
３０２＿３、３０２＿４  位置、方向、サイズ等を調整（編集）された後のプレビュー表示
３０３  インストラクション表示領域
３０４  ボタン表示
【図１】
2018007008.tif 000003
【図２】
2018007008.tif 000004
【図３】
2018007008.tif 000005
【図４】
2018007008.tif 000006
【図５】
2018007008.tif 000007
【図６】
2018007008.tif 000008
【図７】
2018007008.tif 000009
【図８】
2018007008.tif 000010
【図９】
2018007008.tif 000011